(57)【特許請求の範囲】
【請求項１】
石炭粉末を落下させる工程、
上記石炭粉末の落下途中において風を吹き当てる工程、及び
上記石炭粉末を落下位置に応じて回収する工程
を備え、
上記落下工程において、石炭粉末が落下開始時に水平方向の速度成分を有し、
上記風吹き当て工程において、上記風の向きが上記石炭粉末の落下開始時における水平方向の速度成分の向きと対向し、
上記回収工程において、落下位置を複数の領域に分割し、その領域に含まれる落下後の石炭粉末全量に対する粒子径が７５μｍ以下の粉末の質量割合が、落下前の石炭粉末全量に対する粒子径が７５μｍ以下の粉末の質量割合よりも低い領域の石炭粉末を回収する石炭粉末の分級方法。
【請求項２】
上記風の速度から上記石炭粉末の落下開始時における水平方向の速度を引いた相対速度が０．５ｍ／ｓ以上１０ｍ／ｓ以下である請求項１に記載の石炭粉末の分級方法。
【請求項３】
上記石炭粉末の落下開始位置と石炭粉末への上記風の吹き当て位置との高低差が１０ｍｍ以上３５０ｍｍ以下である請求項１又は請求項２に記載の石炭粉末の分級方法。
【請求項４】
上記落下工程、風吹き当て工程及び回収工程を複数回繰り返す請求項１、請求項２又は請求項３に記載の石炭粉末の分級方法。
【請求項５】
上記石炭粉末が改質低品位炭粉末である請求項１から請求項４のいずれか１項に記載の石炭粉末の分級方法。
【請求項６】
石炭粉末を落下させる装置、
落下途中の上記石炭粉末に風を吹き当てる装置、及び
上記石炭粉末を落下位置に応じて回収する装置
を備え、
上記落下装置での落下開始時に石炭粉末が水平方向の速度成分を有し、
上記風吹き当て装置の風の向きが上記石炭粉末の落下開始時における水平方向の速度成分の向きと対向し、
上記回収装置が、落下位置を複数の領域に分割し、その領域に含まれる落下後の石炭粉末全量に対する粒子径が７５μｍ以下の粉末の質量割合が、落下前の石炭粉末全量に対する粒子径が７５μｍ以下の粉末の質量割合よりも低い領域の石炭粉末を回収する石炭粉末の分級システム。
【発明の詳細な説明】
【技術分野】
【０００１】
本発明は、石炭粉末の分級方法及び分級システムに関する。
【背景技術】
【０００２】
石炭粉末の搬送時等に微粉の飛散によって発塵が発生することは、作業環境の観点等から好ましくない。そのため、このような発塵を極力抑制することが望まれる。例えば石炭粉末の搬送経路に集塵装置を設けることで微粉を捕集することが可能となるが、搬送経路を網羅する吸引管、集塵機、排気塔等の大がかりな設備が必要である。そこで簡便に石炭粉末の発塵を抑制するため、石炭粉末に散水を行うことが従来技術では行われている（例えば特開２０１１−２４１０５０号公報参照）。
【０００３】
また別の発塵抑制手段として、石炭粉末から発塵の元となる数十μｍ以下の粒子を分離する慣性分級がある。この慣性分級は、例えばエルボージェット分級機を用いて微粉を分離除去するもので、これにより石炭粉末の発塵を低減することができる。
【０００４】
しかし上述のような散水を行うと、石炭粉末への水の付着により発熱量が低下し、石炭粉末の品質を低下させるデメリットがある。また、上述のエルボージェット分級機は一般にその処理量が数ｔ／ｈ程度であるため、商業プラントで発生する大量の石炭粉末を処理するには不向きである。
【先行技術文献】
【特許文献】
【０００５】
【特許文献１】特開２０１１−２４１０５０号公報
【発明の概要】
【発明が解決しようとする課題】
【０００６】
本発明は、上述のような事情に基づいてなされたものであり、石炭粉末の発熱量を低減することなく、簡易な設備で発塵性の低い石炭粉末を得ることができる石炭粉末の分級方法及び分級システムを提供することを目的とする。
【課題を解決するための手段】
【０００７】
上記課題を解決するためになされた発明は、石炭粉末を落下させる工程、上記石炭粉末の落下途中において風を吹き当てる工程、及び上記石炭粉末を落下位置に応じて回収する工程を備え、粒子径が７５μｍ以下の粉末の割合が落下前の上記石炭粉末よりも低い石炭粗粉を回収する石炭粉末の分級方法である。
【０００８】
当該石炭粉末の分級方法においては、落下途中の石炭粉末に風を吹き当てることで石炭粉末がその粒子径ごとに異なる位置に落下する。つまり、発塵を発生させやすい粒子径が７５μｍ以下の微細な石炭粉末は、風によって飛翔し風の供給点から遠方に落下するため、風の供給点に近い落下位置で石炭粉末を選別回収することで、この粒子径が７５μｍ以下の粉末の割合を低減した石炭粗粉を容易に回収することができる。その結果、当該石炭粉末の分級方法は、石炭粉末の発熱量を低減することなく、簡易な設備で発塵性の低い石炭粉末である石炭粗粉を得ることができる。
【０００９】
上記落下工程において、石炭粉末が落下開始時に水平方向の速度成分を有し、上記風吹き当て工程において、上記風の向きが上記石炭粉末の落下開始時における水平方向の速度成分の向きと対向するとよい。このように落下工程において、石炭粉末の落下開始時における水平方向の速度成分と対向する向きに風を吹き当てることで、風の影響を受けにくい粒子径の大きい粒子が風の供給点に近づきつつ落下する一方で、粒子径の小さい粒子が風の影響により風の供給点から遠ざかりながら落下するため、粒子径ごとの落下位置の差異をより大きくすることができる。その結果、当該石炭粉末の分級方法によってより確実に発塵性の低い石炭粉末を得ることができる。
【００１０】
上記風の速度から上記石炭粉末の落下開始時における水平方向の速度を引いた相対速度としては、０．５ｍ／ｓ以上１０ｍ／ｓ以下が好ましい。上記相対速度を上記範囲内とすることで、上述した粒子径ごとの落下位置の差異をさらに大きくすることができるため、当該石炭粉末の分級方法によってより確実に発塵性の低い石炭粉末を得ることができる。
【００１１】
上記石炭粉末の落下開始位置と石炭粉末への上記風の吹き当て位置との高低差としては１０ｍｍ以上３５０ｍｍ以下が好ましい。上記高低差を上記範囲内とすることで、石炭粉末の風の吹き当てによる落下位置の変動幅を大きくすることができるため、当該石炭粉末の分級方法によってより確実に発塵性の低い石炭粉末を得ることができる。
【００１２】
上記落下工程、風吹き当て工程及び回収工程を複数回繰り返してもよい。これらの工程を複数回繰り返すことで、石炭粗粉中の粒子径が７５μｍ以下の石炭粉末の割合をさらに小さくすることができる。その結果、当該石炭粉末の分級方法によってより確実に発塵性の低い石炭粉末を得ることができる。
【００１３】
当該石炭粉末の分級方法は、改質低品位炭粉末に用いるとよい。ここで「改質低品位炭」とは、褐炭や亜瀝青炭等の低品位炭を乾燥し高品質化した石炭をいう。改質低品位炭は、通常の石炭に比べ脆い性質を有しているため発塵の抑制がより重要であるため、当該石炭粉末の分級方法を用いて分級することでより効果的に発塵を低減させることができる。
【００１４】
上記課題を解決するためになされた別の発明は、石炭粉末を落下させる装置、落下途中の上記石炭粉末に風を吹き当てる装置、及び上記石炭粉末を落下位置に応じて回収する装置を備え、粒子径が７５μｍ以下の粉末の割合が落下前の上記石炭粉末よりも低い石炭粗粉を回収する石炭粉末の分級システムである。
【００１５】
当該石炭粉末の分級システムは、上述のように落下位置で石炭粉末を選別回収することで、粒子径が７５μｍ以下の粉末の割合を低減した石炭粗粉を容易に回収することができる。つまり、当該石炭粉末の分級システムは、簡易な構成を有しながら、石炭粉末の発熱量を低減することなく、発塵性の低い石炭粉末である石炭粗粉を得ることができる。
【００１６】
ここで、「粒子径が７５μｍ以下の粉末」とは、ＪＩＳ  Ｚ８８０１−１（２００６）に準拠した目開き７５μｍの篩を通過する石炭粉末を意味する。「風の速度」とは、風が落下中の石炭粉末に当たる直前の平均速度を意味する。「風の吹き当て位置」とは、風が落下中の石炭粉末に当たる領域のうち最も高い位置を意味する。
【発明の効果】
【００１７】
本発明の石炭粉末の分級方法及び分級システムによれば、石炭粉末の発熱量を低減することなく、簡易な設備で発塵性の低い石炭粉末を得ることができる。
【図面の簡単な説明】
【００１８】
【図１】本発明の石炭粉末の分級システムの一実施形態を示す模式的説明図
【図２】図１とは異なる実施形態の石炭粉末の分級システムを示す模式的説明図
【発明を実施するための形態】
【００１９】
以下、本発明の石炭粉末の分級方法及び分級システムの実施形態を詳説する。
【００２０】
本発明の石炭粉末の分級方法は、石炭粉末を落下させる工程（落下工程）、上記石炭粉末の落下途中において風を吹き当てる工程（風吹き当て工程）、及び上記石炭粉末を落下位置に応じて回収する工程（回収工程）を備え、粒子径が７５μｍ以下の粉末の割合が落下前の上記石炭粉末よりも低い石炭粗粉を回収する。
【００２１】
また、本発明の石炭粉末の分級システムは、図１に示すように、石炭粉末を落下させる装置である傾斜板１、落下途中の上記石炭粉末に風を吹き当てる装置である送風機２、及び上記石炭粉末を落下位置に応じて回収する装置である回収パン３を備える。
【００２２】
＜石炭粉末＞
本発明に用いる石炭粉末としては、特に限定されず、例えば粒子径が１０ｍｍ以下の粒子からなる石炭粉末を用いることができる。また、石炭の種類も特に限定されないが、褐炭や亜瀝青炭等の低品位炭を乾燥し高品質化した改質低品位炭に対し、本発明はその効果を好適に発揮できる。つまり、改質低品位炭は、通常の石炭に比べ脆い性質を有しているため発塵の抑制がより重要であり、当該石炭粉末の分級方法を用いて分級することでより効果的に発塵を低減させることができる。
【００２３】
上記低品位炭は、天然に存在し２０質量％以上の水分を含有するものをいう。この低品位炭としては、例えば、ビクトリア炭、ノースダコタ炭、ベルガ炭等の褐炭；西バンコ炭、ビヌンガン炭、サラマンガウ炭等の亜瀝青炭などが挙げられる。
【００２４】
＜落下工程＞
落下工程において、石炭粉末を傾斜板１から自然落下させる。このとき、傾斜板１の傾斜角度によって石炭粉末には落下開始時に水平方向の速度が付与される。上記傾斜板１は、傾斜して配置した板のほかに、石炭粉末に水平方向の速度を与えるコンベア等を用いることができる。コンベアを用いる場合は傾斜配置する必要はないが、傾斜して配置してもよい。なお、石炭粉末に鉛直方向の速度を付与して落下させてもよいが、石炭粉末が回収パン３に到達するまでの時間が短くなることで分級効果が不十分となるおそれがあるため、自然落下させることが好ましい。
【００２５】
上記石炭粉末の落下開始時における水平方向の速度としては、例えば０．１ｍ／ｓ以上２ｍ／ｓとすることができる。
【００２６】
上記石炭粉末の落下開始位置の回収パン３底面（回収位置）からの高さｈ１の下限としては、３００ｍｍが好ましく、５００ｍｍがより好ましい。上記高さｈ１が上記下限未満の場合、石炭粉末の分級効果が不十分となるおそれがある。一方、上記石炭粉末の落下開始位置の回収パン３底面からの高さｈ１の上限としては、５０００ｍｍが好ましく、２０００ｍがより好ましい。上記高さｈ１が上記上限を超える場合、当該石炭粉末の分級システムが大型化するほか、屋外で本発明を実施する場合に気流による影響を受けやすくなるおそれがある。
【００２７】
＜風吹き当て工程＞
風吹き当て工程において、上記落下工程で落下させた石炭粉末の落下途中において送風機２によって風を吹き当てる。この風の向きは特に限定されないが、分級効果を高める観点から水平方向と平行な向きが好ましい。また、上記風の水平面内での向きは、上記石炭粉末の落下開始時における水平方向の速度成分の向きと同一の向き又は対向する向きが好ましく、上記石炭粉末の落下開始時における水平方向の速度成分の向きと対向する向きがより好ましい。このような向きで落下途中の石炭粉末に上記風を当てることで、石炭粉末の粒子径ごとの落下位置の差異を大きくすることができ、より確実に発塵性の低い石炭粗粉を回収することができる。
【００２８】
上記風の速度から上記石炭粉末の落下開始時における水平方向の速度を引いた相対速度の下限としては、０．５ｍ／ｓが好ましく、２ｍ／ｓがより好ましく、３ｍ／ｓがさらに好ましい。上記相対速度が上記下限未満の場合、分級効果が不十分となるおそれがある。一方、上記相対速度の上限としては、１０ｍ／ｓが好ましく、６ｍ／ｓがより好ましく、４ｍ／ｓがさらに好ましい。上記相対速度が上記上限を超える場合、石炭粉末が必要以上に飛散し回収が困難になるおそれや、風速を高めるために当該石炭粉末の分級システムの設備が大型化するおそれがある。なお、上記風の速度は、風が落下中の石炭粉末に当たる直前の平均速度を意味し、送風機２の出力、送風機２の送風口から石炭粉末の落下開始位置までの水平距離等を調整することで設定することができる。
【００２９】
上記石炭粉末の落下開始位置と石炭粉末への上記風の吹き当て位置との高低差ｈ２の上限としては、３５０ｍｍが好ましく、２７０ｍｍがより好ましく、２００ｍｍがさらに好ましい。上記高低差ｈ２が上記上限を超える場合、重力加速によって風を当てる時の石炭粉末の落下速度が大きくなるため、落下位置の差異が小さくなって分級効果が不十分となるおそれがある。一方、上記石炭粉末の落下開始位置と石炭粉末への上記風の吹き当て位置との高低差ｈ２の下限としては、１０ｍｍが好ましく、２０ｍｍがより好ましく、３０ｍｍがさらに好ましい。上記高低差ｈ２が上記下限未満の場合、石炭粉末が十分に拡散する前に風が当たることで分級効果が不十分となるおそれがある。
【００３０】
上記石炭粉末の落下開始位置の回収パン３底面からの高さｈ１に対する上記高低差ｈ２の比の上限としては、７０％が好ましく、４０％がより好ましく、１０％がさらに好ましい。上記高さｈ１に対する高低差ｈ２の比が上記上限を超える場合、風に当たった後の石炭粉末の落下距離が小さくなるため落下位置の差異が小さくなって分級効果が不十分となるおそれがある。一方、上記高さｈ１に対する高低差ｈ２の比の下限としては、１％が好ましく、２％がより好ましく、３％がさらに好ましい。上記高さｈ１に対する高低差ｈ２の比が上記下限未満の場合、石炭粉末が十分に拡散する前に風が当たることで分級効果が不十分となるおそれがある。
【００３１】
上記送風機２としては、公知のファン、ブロア、空気圧縮機等を用いることができる。この送風機２の送風口の大きさは、分級する石炭粉末の落下量に応じて適宜設計することができ、例えば高さ（鉛直方向長さ）を１０ｍｍ以上３００ｍｍ以下、幅（水平方向長さ）を１０ｍｍ以上３０００ｍｍ以下とすることができる。
【００３２】
送風機２の送風口から石炭粉末の落下開始位置までの水平距離は、例えば１００ｍｍ以上３０００ｍｍ以下とすることができる。
【００３３】
＜回収工程＞
回収工程において、上記落下工程及び風吹き当て工程を経た石炭粉末を落下位置に応じて回収する。具体的には、図１に示すように石炭粉末の落下開始位置の下方でかつ落下開始位置よりも送風機２側の領域に回収パン３を敷設し、この回収パン３に落下した石炭粉末を回収することで、粒子径が７５μｍ以下の粉末の割合が小さく発塵性の低い石炭粗粉を容易かつ確実に回収できる。
【００３４】
上記回収パン３は、複数のパンから構成されていてもよいし、仕切によって複数の領域に区分されたものを用いてもよい。このように回収パンを構成することで、石炭粗粉をさらに異なる粒径分布の粗粉群に分けて回収することができる。上記回収パン３の石炭粉末に当てる風の方向（図中左右方向）の幅ｗは、石炭粉末の分級条件（風の速度、石炭粉末の落下高さ等）に適宜合わせて設計することができ、例えば１００ｍｍ以上４０００ｍｍ以下とすることができる。また、石炭粉末の落下開始位置に対する回収パン３の位置も上記分級条件によって適宜設計することができ、平面視で回収パン３が落下開始位置を含むような位置に回収パン３を配設してもよい。
【００３５】
当該石炭粉末の分級方法で回収される上記石炭粗粉は、分級前（落下前）の石炭粉末に対して粒子径が７５μｍ以下の粉末の割合が低減されている。この石炭粗粉において、粒子径が７５μｍ以下の粉末の割合としては、１．６５質量％以下が好ましく、１質量％以下がより好ましく、０．５質量％以下がさらに好ましく、０．２質量％以下が特に好ましい。上記割合を上記上限以下とすることで、より発塵抑制に優れた石炭粗粉を回収することができる。また、分級前の石炭粉末の粒子径が７５μｍ以下の粉末割合から、上記石炭粗粉の粒子径が７５μｍ以下の粉末割合を引いた差分としては、０．１質量％以上が好ましく、０．５質量％以上がより好ましく、１質量％以上がさらに好ましい。
【００３６】
なお、上記石炭粗粉として回収されなかった石炭粉末（以下、石炭微粉と呼称する）は、例えば回収パン３より風下側に設置されるバグフィルタ等の微粉回収手段４により別途回収することが好ましい。このように回収した石炭微粉は、散水等の発塵対策を施した後、使用に供される。なお、微粉回収手段４として回収パンを用いてもよい。
【００３７】
上記落下工程、風吹き当て工程及び回収工程は複数繰り返して行ってもよい。つまり、上記回収工程で回収した石炭粗粉を再度落下工程に供することで、風吹き当て工程及び回収工程を経て、微細な粒子の割合がさらに低減され、発塵抑制により優れた石炭粗粉を得ることができる。
【００３８】
＜利点＞
当該石炭粉末の分級方法においては、落下途中の石炭粉末に風を吹き当てることで石炭粉末がその粒子径ごとに異なる位置に落下する。つまり、発塵を発生させやすい粒子径が７５μｍ以下の微細な石炭粉末は、風によって飛翔し風の供給点から遠方に落下するため、風の供給点に近い落下位置で石炭粉末を選別回収することで、この粒子径が７５μｍ以下の粉末の割合を低減した石炭粗粉を容易に回収することができる。その結果、当該石炭粉末の分級方法は、石炭粉末の発熱量を低減することなく、簡易な設備で発塵性の低い石炭粉末である石炭粗粉を得ることができる。
【００３９】
＜その他の実施形態＞
本発明の石炭粉末の分級方法及び分級システムは、上記実施形態に限定されるものではない。上記実施形態では、石炭粉末が落下開始時に水平方向の速度成分を有するように石炭粉末を落下させたが、石炭粉末が落下開始時に水平方向の速度成分を実質的に有さないように落下させてもよい。つまり、石炭粉末を略鉛直方向、すなわち鉛直方向に対する角度が−５度以上５度以下の方向に自然落下させてもよい。ただし、分級効果向上の観点からは、石炭粉末が落下開始時に水平方向の速度成分を有するように石炭粉末を落下させることが好ましい。
【００４０】
また、図２に示すように落下装置としてベルトコンベア１１を用い、回収パンの変わりに回収装置としてベルトコンベア１３を用いてもよい。このようにベルトコンベアで直接石炭粉末を落下させ、さらに石炭粗粉を回収することで、石炭粉末の移送中に分級を行うことができる。また、石炭粉末の分級設備を簡便化又は小型化することができる。
【実施例】
【００４１】
以下、実施例を挙げて本発明をより具体的に説明するが、本発明はこれらに限定されるものではない。
【００４２】
［実施例１〜１４］
図１に示す装置を用いて、石炭粉末の分級を行った。以下、用いた石炭粉末及び各工程を詳説する。
【００４３】
（石炭粉末）
落下させる石炭粉末としては改質褐炭（ＵＢＣ）を用いた。改質褐炭とは、改質低品位炭の１つであり、褐炭を乾燥（脱水）したもののことをいい、本実施では水分が７．０質量％含まれる改質褐炭を使用した。
【００４４】
（落下工程）
上記石炭粉末２ｋｇを表面にガイドを有する傾斜板上から１０秒で自然落下させた。石炭粉末の落下開始位置となる傾斜板表面の下端の回収パン接地面からの高さが１０００ｍｍとなる位置に上記傾斜板を設置し、傾斜板の水平面に対する傾斜角は２５°とした。落下開始位置における上記石炭粉末の水平方向の速度は約０．３ｍ／ｓである。
【００４５】
（風吹き当て工程）
出力２４Ｗ、送風口が高さ３５０ｍｍ、幅８５０ｍｍの矩形状である送風機を用い、落下開始位置における石炭粉末の水平方向の速度成分の向きと対向する向きで風を落下途中の石炭粉末に吹き当てた。送風機の風力切り替えスイッチと送風機の位置で各実施例において風の速度を調整した。なお、風の速度は風速計（株式会社カスタムの「ＣＵＳＴＯＭ  ＷＳ−０１）を用いて測定した。各実施例において、石炭粉末の落下開始位置（傾斜板表面の下端）と石炭粉末への上記風の吹き当て位置との高低差ｈ２及び風の速度は、それぞれ表１に示す値とした。
【００４６】
（回収工程）
図１に示すように石炭粉末の落下開始位置の下方でかつ落下開始位置よりも送風機側の領域に回収パンを敷設し、回収パンに落下した石炭粉末を石炭粗粉として回収した。また、石炭粗粉用の回収パンより風下側に落下した石炭粉末（石炭微粉）も同じ大きさの石炭微粉用の回収パンにより回収した。なお、石炭粗粉用の回収パンは、その一端が石炭粉末の落下開始位置の略真下に位置するように敷設した。また、石炭粗粉用の回収パンの石炭粉末に当てる風の方向（図中左右方向）の幅は５５０ｍｍとした。
【００４７】
［比較例１］
実施例１〜１４で用いた石炭粉末を分級することなく、そのまま石炭粗粉として回収した。
【００４８】
［評価１］
実施例１〜１４及び比較例１で回収した上記石炭粗粉及び石炭微粉についてそれぞれ質量を測定した後、ＪＩＳ  Ｚ８８０１−１（２００６）に準拠した目開き７５μｍの金属製篩を用いて、それぞれ篩い分けを行った。篩を通過した石炭粉末を粒子径７５μｍ以下の石炭粉末として、上記石炭粗粉における粒子径７５μｍ以下の石炭粉末の割合、及び上記石炭微粉における粒子径７５μｍ以下の石炭粉末の割合を質量％にて求めた。また、上記石炭粗粉の分級前の石炭粉末に対する質量割合（回収率）をＷ１、上記石炭粗粉中の粒子径７５μｍ以下の石炭粉末の質量割合をｗ１、上記石炭微粉中の粒子径７５μｍ以下の石炭粉末の質量割合をｗ２とした場合、｛（１００−Ｗ１）×ｗ２｝／｛（１００−Ｗ１）×ｗ２＋Ｗ１×ｗ１｝で得られる値を、石炭粗粉に対する粒子径７５μｍ以下の石炭粉末の除去率として求めた。これらの結果を表１に示す。なお、上記回収率は、利用可能な石炭粉末を有効に回収できているかどうかの指標となる。
【００４９】
さらに石炭粗粉については、粒子径７５μｍ以下の石炭粉末を篩い分ける前の状態で落下試験を行い、発塵状況を目視にて評価した。つまり、各実施例及び比較例毎に、発塵レベルをＡが最も発塵が少なく、Ｈが最も発塵が多いレベルとして、Ａ〜Ｈの７段階で評価した。
【００５０】
【表１】
0005980734.tif 000002
【００５１】
表１の結果から、落下工程、風吹き当て工程及び回収工程からなる分級を行った実施例１〜１４で得られた石炭粗粉は、分級を行わなかった比較例１の石炭粉末に比べて発塵性が低減されていることがわかる。
【００５２】
［評価２］
上記実施例５〜７及び比較例１について、回収した石炭粗粉の粒度分布を求めた。粒度分布は、目開きがそれぞれ２．００ｍｍ、１．００ｍｍ、５００μｍ、２５０μｍ、１５０μｍ、７５μｍのＪＩＳ  Ｚ８８０１−１（２００６）に準拠した金属製篩を用いることで篩い分けし、篩い分けられた石炭粉末の質量をそれぞれ測定することで求めた。これらの結果を表２に示す。
【００５３】
【表２】
0005980734.tif 000003
【００５４】
表２の結果から、実施例５〜７で回収した石炭粗粉は、分級していない比較例１に対し、粒子径が７５μｍ以下の石炭粉末の割合が減少すると共に、粒子径の大きい粒子の割合が増加し、利用に供し易い石炭粗粉が回収できたことがわかる。
【００５５】
［実施例１５〜１９］
実施例１５〜１９は、石炭粉末の落下開始位置（傾斜板表面の下端）と石炭粉末への上記風の吹き当て位置との高低差ｈ２及び風の速度をそれぞれ表３に示す値とした以外は実施例１〜１４と同様の条件で、落下工程、風吹き当て工程及び回収工程を表３に記載の回数繰り返し、石炭粗粉を回収した。例えば実施例１５では、実施例１で回収した石炭粗粉を用いて同じ条件で落下工程、風吹き当て工程及び回収工程を再度行った。回収した石炭粗粉に対し、上記評価１と同様の評価を行った。これらの結果を表３に示す。
【００５６】
【表３】
0005980734.tif 000004
【００５７】
表３の結果から、落下工程、風吹き当て工程及び回収工程を複数回繰り返すことによって、回収される石炭粗粉の発塵レベルをより低減することができることがわかる。
【００５８】
［実施例２０〜２８］
上記実施例１〜１４で用いた装置を用いて、表４に示す風の向き及び速度で石炭粉末を分級し、石炭粉末の落下開始位置よりも風下に設置した回収パンにて回収した石炭微粉中の粒径が０．５ｍｍ以下の粉末の質量割合を求めた。石炭粉末の落下開始位置（傾斜板表面の下端）と石炭粉末への上記風の吹き当て位置との高低差ｈ２は２２５ｍｍとした。この結果を表４に示す。なお、表中の「向かい風」とは、実施例１〜１４と同様に落下開始位置における石炭粉末の水平方向の速度成分の向きと対向する向きに風を吹き当てたことを意味し、「追い風」とは、上記速度成分の向きと同一の向きに風を吹き当てたことを意味し、「横風」とは、上記速度成分の向きと同一水平面内で直角な向きに風を吹き当てたことを意味する。
【００５９】
【表４】
0005980734.tif 000005
【００６０】
表４に示すように、落下開始位置における石炭粉末の水平方向の速度成分の向きと対向する向きに風を吹き当てた実施例２０〜２２は、他の実施例よりも粒子を分級する効果が高いことがわかる。
【産業上の利用可能性】
【００６１】
本発明の石炭粉末の分級方法及び分級システムによれば、石炭粉末の発熱量を低減することなく、簡易な設備で発塵性の低い石炭粉末を得ることができる。従って、本発明の石炭粉末の分級方法及び分級システムは、例えば石炭の運搬、積載等を行う施設において好適に用いることができる。
【符号の説明】
【００６２】
１  傾斜板
２  送風機
３  回収パン
４  微粉回収手段
１１、１３  ベルトコンベア
【図１】
0005980734.tif 000006
【図２】
0005980734.tif 000007